(57)【要約】【課題】色覚障害がある人にもない人にも認識しやすい物品を提供する。【解決手段】本発明では、物品１の一部の領域１２が、正面から見た場合と斜め方向から見た場合とで色相（反射波長）がシフトするようにする。これにより、色覚障害のある人が正面から見た場合に認識しにくい色相であっても、斜め方向からみることにより、認識しやすい色相に変化するため、色覚障害がある人にもない人にも認識しやすい物品を提供することができる。【選択図】図４
2007271945.tif 000002
【特許請求の範囲】
【請求項１】
表面の一部に、垂直入射光に対しては、所定の波長光を反射し、入射光の入射角が大きくなるにつれて反射波長がシフトする性質を有する反射膜が配置されていることを特徴とする色覚障害者を考慮した物品。
【請求項２】
表面の少なくとも一部に、所定の波長光を反射する領域を備え、
表面の別の領域には、垂直入射光に対しては、前記所定の波長光を反射し、入射光の入射角が大きくなるにつれて反射波長がシフトする性質を有する反射膜が配置されていることを特徴とする色覚障害者を考慮した物品。
【請求項３】
請求項１または２に記載の色覚障害者を考慮した物品において、前記所定の波長光は、赤、緑、黄または、青色帯域の波長光であることを特徴とする色覚障害者を考慮した物品。
【請求項４】
２以上の構成物品を含む組物の物品であって、
前記２以上の構成物品のうち第１の構成物品は、表面の少なくとも一部に、第１波長光を反射する領域を備え、第２の構成物品は、表面の少なくとも一部に、第２波長光を反射する領域を備え、
前記第１の構成物品の別の領域には、垂直入射光に対しては前記第１波長光を反射し、入射光の入射角が大きくなるにつれて反射波長がシフトする性質を有する反射膜が配置されていることを特徴とする色覚障害者を考慮した物品。
【請求項５】
請求項４に記載の色覚障害者を考慮した物品において、前記第２の構成物品の別の領域には、垂直入射光に対しては前記第２波長光を反射し、入射光の入射角が大きくなるにつれて反射波長がシフトする性質を有する反射膜が配置されていることを特徴とする色覚障害者を考慮した物品。
【請求項６】
請求項４または５に記載の色覚障害者を考慮した物品において、前記第１波長光および第２波長光の組み合わせは、色覚障害者が見分けにくい色の組み合わせであることを特徴とする色覚障害者を考慮した物品。
【請求項７】
請求項６に記載の色覚障害者を考慮した物品において、前記第１波長光および第２波長光の組み合わせは、赤と緑、黄と緑または赤、紫と青、緑と茶色、赤と茶色、水色とピンク、青と緑、青と黒のいずれかであることを特徴とする色覚障害者を考慮した物品。
【請求項８】
請求項１ないし７のいずれか１項に記載の色覚障害者を考慮した物品において、前記反射膜は、多層干渉反射膜であることを特徴とする色覚障害者を考慮した物品。
【請求項９】
請求項１ないし８のいずれか１項に記載の色覚障害者を考慮した物品において、前記反射膜の下には、該反射膜を透過した可視光を吸収する性質を有する部材が配置されていることを特徴とする色覚障害者を考慮した物品。
【請求項１０】
複数の物品を色相によって見分けるための彩色方法であって、
前記複数の物品にそれぞれ異なる色相を付し、
前記複数の物品のうち少なくとも一つについて、表面の一部領域に、垂直入射光に対しては、所定の波長光を反射し、入射光の入射角が大きくなるにつれて反射波長がシフトする性質を有する反射膜を配置することを特徴とする彩色方法。
【発明の詳細な説明】
【技術分野】
【０００１】
本発明は、彩色された物品に関し、特に、色覚障害者に認識しやすい彩色がなされた物品に関する。
【背景技術】
【０００２】
色盲、色弱といわれる色覚障害をもつ人の割合は、先天性色覚障害の場合、黄色人種で男性の５％、女性の０．２％程度、白色人種で男性の８％、女性の０．５％程度であり、極ありふれた障害である。そのほとんどは、赤色〜緑色波長域で色の差を識別しにくい赤緑色覚障害である。しかし、色覚障害があっても実際にはかなりの色を見分けられることや、過去に社会的な差別や偏見があったという経緯から、色覚障害があることを表明しにくい状況にあった。そのため、他の障害と比較して、色覚障害がある人への配慮はあまりなされていなかった。
【０００３】
近年では、特許文献１に記載されているように、画像表示装置の赤色表示色や緑色表示色を、映像信号の変換によって他の表示色に代替させることにより、赤緑色覚障害者に判別しやすい画像を表示するシステムが提案されている。
【特許文献１】特開平１１−１７５０５０号公報
【発明の開示】
【発明が解決しようとする課題】
【０００４】
箸や、歯ブラシ、ボードゲームの駒など、日常的に使用される物品の多くは彩色が施され、その彩色によって他の箸や歯ブラシ、他の駒と見分けられている。これらの物品の色相は、一旦着色されると、特許文献１に記載の表示システムのように色覚障害者に認識しやすい色相には容易に変更することはできない。また、パソコン等の表示装置は、その表示装置と対峙している一人のユーザが色覚障害者であれば、それに対応して表示色を変換することが可能であるが、日常的に使用される物品は、色覚障害のある人もない人も使用するため、色覚障害のある人にとってもない人にとっても見分けやすい色彩であることが望まれる。しかも、デザイン上美観に優れたものが要求される。
【０００５】
このような物品を製造するには、物品を製造する人が、色覚障害者に認識しにくい色および色の組み合わせ、および、認識しやすい色および色の組み合わせに対する知識を持ち合わせなければならないが、現実には、色覚障害に対する社会的な理解が不足しているため、そのような知識を持っている人は少ない。結果的に色覚障害者に配慮した彩色の物品が少ないという問題があった。
【０００６】
本発明の目的は、色覚障害がある人にもない人にも認識しやすい物品を提供することにある。
【課題を解決するための手段】
【０００７】
上記目的を達成するために、本発明では、物品の一部の領域が、正面から見た場合と斜め方向から見た場合とで色相（反射波長）がシフトするようにする。これにより、色覚障害のある人が正面から見た場合に認識しにくい色相であっても、斜め方向から見ることにより、認識しやすい色相に変化するため、色覚障害がある人にもない人にも認識しやすい物品を提供することができる。
【０００８】
具体的には、本発明の第１の態様により提供される物品は、表面の一部に、垂直入射光に対しては、所定の波長光を反射し、入射光の入射角が大きくなるにつれて反射波長がシフトする性質を有する反射膜が配置されている。
【０００９】
本発明の第２の態様により提供される物品は、表面の少なくとも一部に、所定の波長光を反射する領域を備え、表面の別の領域には、垂直入射光に対しては、所定の波長光を反射し、入射光の入射角が大きくなるにつれて反射波長がシフトする性質を有する反射膜が配置されている。
【００１０】
上記第１および第２の態様の物品は、正面から見て色覚障害のある人に色を判別しにくい色相であっても、反射膜の部分を斜め方向から見ることにより、波長がシフトするため正面の色が理解できる物品となる。すなわち、色覚障害のある人が、反射膜の部分を斜めから見ると反射光の波長が短波長または長波長にシフトするということを予め認識している場合には、シフト前の色を理解することが可能である。
【００１１】
上記第１および第２の態様において、所定の波長光は、赤、緑、黄または、青色帯域の波長光に設定することができる。
【００１２】
本発明の第３の態様によれば、２以上の構成物品を含む組物の物品であって、第１の構成物品は、表面の少なくとも一部に、第１波長光を反射する領域を備え、第２の構成物品は、表面の少なくとも一部に、第２波長光を反射する領域を備える物品が提供される。第１の構成物品の別の領域には、垂直入射光に対しては第１の波長光を反射し、入射光の入射角が大きくなるにつれて反射波長がシフトする性質を有する反射膜が配置されている。これにより、第１および第２の構成物品の第１および第２波長光で決定される色相が相互に見分けにくい場合であっても、斜め方向から見ることにより第１の構成物品の反射膜の部分の反射波長が変化するため、第１および第２の構成物品を見分けやすくなる。
【００１３】
この場合、第２の構成物品にも、垂直入射光に対しては第２の波長光を反射し、入射光の入射角が大きくなるにつれて反射波長がシフトする性質を有する反射膜を配置することも可能である。
【００１４】
第３の態様において、第１および第２波長光の組み合わせは、色覚障害者が見分けにくい色の組み合わせに設定することができる。例えば、赤と緑、黄と緑または赤、紫と青、緑と茶色、赤と茶色、水色とピンク、青と緑、青と黒のいずれかに設定することが可能である。なお、ここでいう黒には、近赤外線を反射して黒に見えているものも含まれる。赤と緑、黄と緑または赤、紫と青、緑と茶色、赤と茶色、水色とピンクは、第１および第２色盲の人等赤緑色覚障害者が見分けにくい色の組み合わせであるが、第３の態様によれば、斜めから見ることにより見分けやすくなる。青と緑、青と黒は、第３色盲の人が見分けにくい色の組み合わせであるが、斜めから見ることにより見分けやすくなる。また、青と黒の組み合わせのうち、黒として垂直入射光に対し近赤外線を反射し、入射光の入射角が大きくなるにつれて反射波長が可視光にシフトする性質を有する反射膜を用いることにより、斜めから見ることにより見分けやすくなる。
【００１５】
第１〜第３の実施の形態において、反射膜は、多層干渉反射膜を用いることができる。また、反射膜の下には、反射膜を透過した可視光を反射する部材、例えば白色部材や、反射膜を透過した可視光を吸収する性質を有する部材、例えば黒色部材を配置することが可能である。
【００１６】
また、本発明の第４の態様によれば、複数の物品を色相によって見分けるための彩色方法が提供される。まず、複数の物品にそれぞれ異なる色相を付し、複数の物品のうち少なくとも一つについて、表面の一部領域に、垂直入射光に対しては、所定の波長光を反射し、入射光の入射角が大きくなるにつれて反射波長がシフトする性質を有する反射膜を配置する。
【発明の効果】
【００１７】
本発明の物品は、色覚障害がある人も、視認する方向を変えることによって、物品の色相を見分けやすくなるため、色覚についてのバリアフリーを実現できる。しかも、色覚障害のある人の認識しやすい色の組み合わせ等の知識がなくても、反射波長がシフトする反射膜を用いることにより、容易に本発明の物品を製造できる。また、反射波長がシフトする反射膜は美観に優れているため、美観に優れた物品を提供できる。
【発明を実施するための最良の形態】
【００１８】
本発明の一実施の形態について、図面を用いて説明する。
まず、図１を用いて、本実施の形態の物品１の構成を説明する。図１のように、この物品１は、基材１０と、その上の所定の一部領域に配置された緑色反射膜１１と、他の一部の領域に配置された緑色多層干渉反射膜１２とを有する。例えば、物品１が箸で有る場合の例を図２に示す。箸の一部の領域１２に、緑色多層干渉反射膜が配置され、他の領域１１は、緑色反射膜が配置されている。なお、緑色反射膜１１と緑色多層干渉反射膜１２が配置された領域以外に、他の色相を示す膜等が配置される領域を設けることも可能である。
【００１９】
緑色多層干渉反射膜１２は、垂直方向から入射する緑色光を反射し、他の可視波長光を透過する性質を有する。緑色多層干渉反射膜１２は、高屈折率樹脂層と低屈折率樹脂層とを交互に多層に積層した樹脂製のものを用いることができる。高屈折率樹脂層および低屈折率樹脂層の膜厚および屈折率を所定の値に設計することにより、入射した所定の波長の緑色光を高効率で反射するように構成されている。設計時には、光の入射角はゼロ（垂直方向からの入射）を想定して、緑色多層干渉反射膜１２を構成する各層の膜厚および屈折率を決定している。
【００２０】
緑色多層干渉反射膜１２は、垂直入射する光に対して緑色を反射するように設計されているが、斜め方向から入射する光は、多層干渉反射膜における光路差が垂直入射した光より小さくなり、反射する波長が短波長側にシフトする性質を有する。
【００２１】
具体的には、緑色多層干渉反射膜１２は、入射角が大きくなるにつれて反射波長が、緑色（５５０ｎｍ付近）から青緑色（５００ｎｍ付近）、さらには青色（４５０ｎｍ付近）にシフトする。入射角とシフト量との関係は、多層干渉反射膜１２を構成する膜の屈折率および、低屈折率樹脂層と高屈折率樹脂層、それぞれ膜厚によって異なる。
【００２２】
緑色反射膜１１は、一般的な物品の彩色に用いられる膜であればどのような方法で形成されたものでもよい。例えば、緑色顔料を含有する樹脂を塗布することにより形成することができる。また、基材１０そのものを緑色にすることにより、緑色反射膜１１を基材１０と一体に形成することもできる。
【００２３】
基材１０は、少なくとも緑色多層干渉反射膜１２の下部においては、黒色の物を用いることが望ましい。これにより、干渉反射膜１２を透過した可視光を吸収する作用をするため、不要な可視光が緑色多層干渉反射膜１２の下部で反射されることを防止できる。例えば、基材１０としてプラスチック基材に黒色顔料を分散させたものを用いることが可能である。また、黒色以外の基材の表面に黒色のポリエチレンテレフタレート（ＰＥＴ）フィルムを貼付したものや、黒色の塗料を塗布したものを基材１０として用いることも可能である。この場合、黒色フィルムや黒色塗料を干渉反射膜１２の下部にのみ貼付または塗布することが可能である。
【００２４】
このような構成の物品１を図３のようにほぼ正面から視認した場合には、視認者は、ほぼ垂直に反射した光を視認するため、緑色多層干渉反射膜１２が緑色光を反射し、緑色反射膜１１も緑色光を反射する。なお、緑色多層干渉反射膜１２を透過した可視波長光は、黒色基材１０により吸収される。
【００２５】
よって、色覚障害のない人は、正面から視認した場合、物品全体が緑色に見える。赤緑色覚障害のある人（例えば第１色盲または第２色盲の人、ならびに、第１色弱または第２色弱の人）は、下記文献によれば、緑色を黄色に認識するので、物品全体が黄色に認識される。図３のようにこの物品１を、赤または黄色の別の物品１３と見分ける場合、赤緑色覚障害がある人には、下記文献によれば、赤色も黄色に認識されるので、物品１３が赤であっても黄色であっても、物品１と同じような黄色に認識される。よって、正面から見た場合は、赤緑色覚障害がある人には、物品１と物品１３とを見分けにくい。
文献：細胞工学  Vol.21 No.7〜9 2002  「色覚多様性と色覚バリアフリーなプレゼンテーション（全３回）」
なお、以下の説明においても、色覚障害のある人の色の認識（見え方）については、上記文献を参照して記載している。
【００２６】
しかしながら、本実施の形態の物品１は、図４のように、斜め方向から視認した場合には、緑色多層干渉反射膜１２の反射波長が青緑色（５００ｎｍ付近）、から青色（４５０ｎｍ付近）にシフトする。赤緑色覚障害のある人は、青色と赤（黄）は、見分けやすいため、物品１の緑色多層干渉反射膜１２の青色と、物品１３の赤または黄色とが異なることを容易に見分けることができ、物品１と物品１３とを色相によって見分けることができる。
【００２７】
以上のように、本実施の形態の物品１は、入射角によって反射波長が異なる多層干渉反射膜１２を用いているため、赤緑色覚障害のある人が、正面の緑の色相では他の物品の色相と見分けにくくても、頭の位置を少しずらすか、または物品を傾けて斜め方向から視認することにより、見分けやすくなる。また、色覚障害がない人は、正面でも斜め方向でも見分けやすい。よって、赤緑色覚障害のある人もない人も、同時に同じ物品を見て、内容を認識することができるため、多数の人が使用する日用品の構造としても適している。
【００２８】
また、本実施の形態の物品は、物品を製造する人が、色覚障害がある人の見分けにくい色相の組み合わせや見分けやすい色相の組み合わせを知らなくても、多層干渉反射膜１２を用い、正面から見た場合に、製造者が美観のあると感じる物品を製造するだけで、色覚障害がある人にとっても認識しやすいできる表示を製造できる。よって、本実施の形態の物品を用いることにより、色覚障害がある人に配慮した物品を容易に製造することができ、色覚に関するバリアフリーを進めることができる。
【００２９】
また、本実施の形態では、緑色多層干渉反射膜１２と反射膜１１とが基材１０上に並べて配置された構造を示したが、これに限られるものではなく、膜１２と膜１１の一部が重なり合っていてもよい。また、基材１０の上に配置された一方の膜の上の一部領域に、他方の膜を積層した構成にすることも可能である。
【００３０】
また、多層干渉反射膜１２と反射膜１１が、垂直入射光に対して緑色の例について説明したが、色覚障害のある人が認識しにくい、赤色、黄色、青色等の他の色にすることが可能である。
【００３１】
また、上記実施の形態では、多層干渉反射膜１２と反射膜１１とが、いずれも垂直入射光に対して緑色を反射する場合の例について説明したが、垂直入射光に対する色相が膜１２と膜１１とで異なっていてもよい。
【００３２】
また、複数の物品から構成される組物にそれぞれ異なる色相を付す場合、少なくとも１つの物品に図１の構成を適用することができる。例えば、一膳が赤い箸で別の一膳が緑の箸という二膳の箸の組物を製造する場合や、ボードゲームの付属品の同型の４種類の駒のうち１種が赤で別の１種が緑のものを製造する場合が挙げられる。この場合、図５に示したように、少なくとも１つの物品（箸や駒）を図１の構造とすることができる。
【００３３】
図５の例では物品１および物品２の両方を図１の構造として、多層干渉反射膜１２、２２の部分を設けている。多層干渉反射膜１２は、正面から視認した場合、周囲の反射膜１１と同じ緑色、多層干渉反射膜２２は、正面から視認した場合、周囲の反射膜２１と同じ赤色である。このため、赤緑色覚障害のある人は、物品１と物品２とがいずれも黄色に見え、見分けにくい。
【００３４】
しかし、図６のように斜め方向から視認することにより、物品１の多層干渉反射膜１２の反射波長が青にシフトし、赤緑色覚障害のある人には、反射膜１１の部分が黄色、多層干渉反射膜１２の部分が青色の色分け模様のある物品に見える。一方、物品２は、多層干渉反射膜２２の反射波長が緑にシフトし、赤緑色覚障害のある人には、反射膜１１の部分および多層干渉反射膜１２の部分の両方が黄色に見え、物品２全体が黄色に見える。よって、斜めから視認することにより、赤緑色覚障害のある人は、色分け模様の有無で物品１と物品２とを見分けることができる。
【００３５】
一方、色覚障害のない人は、正面から視認した場合、物品１は全体が緑色に、物品２は全体が赤色に見え、見分けることができる。図６のように、斜めから視認した場合、物品１は、緑と青の色分け模様のある物品に見え、物品２は赤と緑の色分け模様のある物品に見える。よって、正面から視認した場合も斜めから視認した場合も、色覚障害のない人は物品１と物品２とを見分けることができる。
【００３６】
なお、物品１と物品２の色の組み合わせは、正面から見た場合、赤と緑の他に、黄と緑または赤、紫と青、緑と茶色、赤と茶色、水色とピンク、青と緑、青と黒のいずれかに設定することが可能である。赤と緑、黄と緑または赤、紫と青、緑と茶色、赤と茶色、水色とピンクは、赤緑色覚障害者が見分けにくい色の組み合わせであるが、図５の構造を用い、一部分を垂直入射光の場合にこれらの色の多層干渉反射膜を用いることにより、斜めから見ることにより見分けやすくなる。青と緑、青と黒は、第３色盲の人が見分けにくい色の組み合わせであるが、同様に図５の構造を用い、斜めから見ることにより見分けやすくなる。
【００３７】
上述の実施の形態では、干渉反射膜１２，２２として、低屈折率樹脂層と高屈折率樹脂層を交互に積層した多層干渉反射膜を用いたが、無機物の低屈折率層と高屈折率層を交互に積層した無機物の多層干渉反射膜を用いることも可能である。なお、樹脂製の多層干渉反射膜の方が、無機物の多層干渉反射膜よりも可撓性の点では優れている。また、層構造を有する薄片状の顔料を透明媒体に分散させることにより形成した干渉反射膜を用いることも可能である。顔料としては例えばメルク株式会社製のパール顔料（登録商標イリオジン）を用いることができる。透明媒体中で顔料を配向させることにより、干渉反射膜を構成することができる。ただし、多層干渉反射膜の方が、顔料を用いた干渉反射膜と比較して、広い面積で干渉を制御しやすいため、製造が容易であり、発色性に優れているというメリットがあるので、用途やコストを考慮して、多層干渉反射膜または顔料を用いる干渉反射膜を選択して用いることが望ましい。
【実施例】
【００３８】
本発明の実施例として、上述の図１の構成の物品１を作製した。基材１０としては、黒色フィルム（ルミラーＸ３０  １００μｍ：東レ社）が周囲に貼付された樹脂を用いた。
【００３９】
緑色多層干渉反射膜１２は、図７に示すように、入射角が大きくなるにつれて反射スペクトルのピーク波長がシフトするものを用いた。具体的には、緑色多層干渉反射膜１２は、入射角５°、３０°、６０°の入射光に対して、反射スペクトルのピーク波長がそれぞれ５６４ｎｍ、５０２ｎｍ、４４５ｎｍにシフトする。よって、緑色多層干渉反射膜１２は、垂直入射光に対しては、緑色光を反射するが、入射角３０°では波長５０２ｎｍの青緑色光、入射角６０°の光に対して波長４４５ｎｍの青色光を反射する性質を有する。
【００４０】
一方、反射膜１１としては、図８に示したような反射スペクトルを示し、ピーク波長が５１４ｎｍである膜を用いた。
【００４１】
本実施例の物品１は、色覚障害がない人が正面から視認した場合には、反射膜１１が緑色光を、緑色多層干渉反射膜１２が緑色光を反射し、全体が緑色の物品である。一方、３０°斜め方向から視認した場合には、緑色多層干渉反射膜１２が青緑色光を反射し、緑色と青緑色光の色分けされた物品に見える。６０°斜め方向から視認した場合には、反射膜１１が緑色光を、緑色多層干渉反射膜１２が青色光を反射し、緑色と青色光の色分けされた物品に見える。
【００４２】
赤緑色覚障害がある人（第１色盲または第２色盲の人）が物品１を正面から視認した場合には、全体が黄色に見える。３０°斜め方向から視認した場合には、緑色反射膜１１の部分が黄色に、緑色多層干渉反射膜１２の部分が黒褐色に認識され、黄色と黒褐色の色分け模様のある物品に見える。また、６０°斜め方向から視認した場合には、緑色反射膜１１の部分が黄色に、緑色多層干渉反射膜１２の部分が青色に認識され、黄色と青色の色分け模様のある物品に見える。
【００４３】
よって、本実施例の物品１は、赤または黄色の別の物品１３と並べて配置すると、色覚障害のない人の場合、正面および斜め方向から両者を見分けることできる。色覚障害のある人の場合、正面からはいずれも黄色に見え、見分けにくいが、斜め方向から見ることにより、物品１は、緑色多層干渉反射膜１２の部分が青色に見えるため、物品１３と見分けることができる。よって、色覚障害のある人もない人も、容易に物品１を他の物品１３から見分けることができ、色覚に関してバリアフリーの物品１を実現できた。
【００４４】
なお、図７に赤色および青色の多層干渉反射膜の一例について、入射角による反射波長のシフトを併せて示した。図７の赤色多層干渉反射膜は、入射角５°では６５０ｎｍ付近の反射波長が、入射角６０°では、５５０ｎｍの緑色までシフトしていることがわかる。また、青色多層干渉反射膜は、入射角５°では４５０ｎｍ付近の反射波長が、入射角６０°では、３９０ｎｍの紫色までシフトしていることがわかる。このように、他の多層干渉反射膜についても、物品の多層干渉反射膜１２として用いることにより、波長シフトする性質を利用して、色覚障害のある人もない人にも見やすい物品を製造することができる。
【図面の簡単な説明】
【００４５】
【図１】本発明の一実施の形態の物品の構成を示す断面図。
【図２】図１の構成を箸に適用した構成を示す斜視図。
【図３】図１の物品を正面から視認する場合の反射光の色相を示す説明図。
【図４】図１の物品を斜め方向から視認する場合の反射光の色相を示す説明図。
【図５】本発明の一実施の形態の物品１および物品２からなる組物の構成と、正面から視認した場合の反射光の色相を示す説明図。
【図６】図５の組物を斜め方向から視認する場合の反射光の色相を示す説明図。
【図７】本実施例の緑色多層干渉反射膜１２、ならびに、赤色および青色多層干渉反射膜について、光の入射角を変化させた場合の反射スペクトルのピーク波長のシフトを示すグラフ。
【図８】本実施例の緑色反射膜１１について、反射スペクトルを示すグラフ。
【符号の説明】
【００４６】
１…物品、２…物品、１０…基材、１１…緑色反射膜、１２…緑色多層干渉反射膜、１３…物品、２０…基材、２１…赤色反射膜、２２…赤色多層干渉反射膜。
【図１】
2007271945.tif 000003
【図２】
2007271945.tif 000004
【図３】
2007271945.tif 000005
【図４】
2007271945.tif 000006
【図５】
2007271945.tif 000007
【図６】
2007271945.tif 000008
【図７】
2007271945.tif 000009
【図８】
2007271945.tif 000010